(57)【要約】【課題】  サイズの融通性を保ちつつも、バストの造形性を得ることができる、カップ部を有する衣類を提供することを目的とする。【解決手段】  本発明のカップ部を有する衣類は、表側部材１１、肌側部材１２およびカップ部材１３を備え、表側部材１１および肌側部材１２は、各々が前身頃部１１Ａ、１２Ａとバック部１１Ｂ、１２Ｂとが一体となった部材であり、上辺および下辺で互いに固着されており、カップ部材１３は、カップ部１３Ａとカップ部の下縁部に配置される土台部１３Ｂと脇部１３Ｃとを含み、カップ部１３Ａと土台部１３Ｂとは一体成型されており、表側部材１１と肌側部材１２との間の前身頃部側に配置され、カップ部１３Ａ上部において表側部材１１および肌側部材１２とは固着されておらず、脇部１３Ｃにおいて肌側部材１２と固着されていることを特徴とする。【選択図】  図１
2018162541.tif 000002
【特許請求の範囲】
【請求項１】
カップ部を有する衣類であって、
表側部材、肌側部材およびカップ部材を備え、
前記表側部材および前記肌側部材は、各々が前身頃部とバック部とが一体となった部材であり、
前記表側部材と前記肌側部材とは、それらの上辺および下辺で互いに固着されており、
前記カップ部材は、カップ部と、カップ部の下縁部に配置される土台部と、脇部とを含み、前記カップ部と前記土台部とは一体成型されており、
前記カップ部材は、前記表側部材と前記肌側部材との間の前記前身頃部側に配置され、
前記カップ部材は、前記カップ部上部において前記表側部材および前記肌側部材とは固着されておらず、
前記カップ部材は、前記脇部において前記肌側部材と固着されていることを特徴とするカップ部を有する衣類。
【請求項２】
さらに、肩ストラップを備え、
前記肩ストラップは、前記前身頃部の上部に設けられ、
さらに、前記肩ストラップから前身頃部下辺まで延びるテープ部材を有し、
前記テープ部材は、表側部材の脇側上方および脇側下方とで固着されていることを特徴とする、請求項１記載のカップ部を有する衣類。
【請求項３】
前記テープ部材は、前記カップ部材と前記肌側部材との間に配置されていることを特徴とする、請求項２記載のカップ部を有する衣類。
【請求項４】
前記カップ部材は、前記土台部において前記表側部材および前記肌側部材と固着されていることを特徴とする、請求項１から３のいずれか一項に記載のカップ部を有する衣類。
【請求項５】
前記カップ部材の脇部は、非伸縮性であることを特徴とする、請求項１から４のいずれか一項に記載のカップ部を有する衣類。
【請求項６】
衣類がブラジャーであることを特徴とする、請求項１から５のいずれか一項に記載のカップ部を有する衣類。
【請求項７】
さらに衣類本体部を有することを特徴とする、請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、ポリウレタン等の弾性体を成型した成型部材を用いた、いわゆるモールドタイプのカップやパッド（以下カップ部という）が用いられているものがある。このような衣類においては、カップ部の厚みや剛性を調整し、バストの造形性を向上させたり、補正機能を付与したりする検討がなされている（例えば、特許文献１および２参照）。
【先行技術文献】
【特許文献】
【０００３】
【特許文献１】特開平９−７８３１１号公報
【特許文献２】特開２００５−１３９５７２号公報
【発明の概要】
【発明が解決しようとする課題】
【０００４】
従来のモールドタイプのカップ部を有するブラジャーは、所定のサイズごとに、基準となるボリュームのバストにフィットするように設計されている。そして、着用者は、これらのサイズの中から一番自分のバストにフィットするサイズを適宜選択している。しかし、着用者のバストのボリュームは、必ずしもカップサイズに完全に一致するわけではなく、選択したサイズが着用者のバストに充分フィットしないこともある。また、各着用者においては、ブラジャーのサイズ変更には至らない程度のバストサイズの変化が生じる場合もある。これらの状況に対応するためには、融通性のあるブラジャーを提供することが好ましい。しかし、一方で、融通性を得ようとすると、精密なフィッティングは難しくなるため、バストの造形性が十分なものとはなりにくいという問題があった。
【０００５】
そこで、本発明は、サイズの融通性を保ちつつも、バストの造形性を得ることができるカップ部を有する衣類を提供することを目的とする。
【課題を解決するための手段】
【０００６】
前記目的を達成するために、本発明のカップ部を有する衣類は、
表側部材、肌側部材およびカップ部材を備え、
前記表側部材および前記肌側部材は、各々が前身頃部とバック部とが一体となった部材であり、
前記表側部材と前記肌側部材とは、それらの上辺および下辺で互いに固着されており、
前記カップ部材は、カップ部と、カップ部の下縁部に配置される土台部と、脇部とを含み、前記カップ部と前記土台部とは一体成型されており、
前記カップ部材は、前記表側部材と前記肌側部材との間の前記前身頃部側に配置され、
前記カップ部材は、前記カップ部上部において前記表側部材および前記肌側部材とは固着されておらず、
前記カップ部材は、前記脇部において前記肌側部材と固着されていることを特徴とする。
【発明の効果】
【０００７】
本発明のカップ部を有する衣類は、サイズの融通性を保ちつつも、バストの造形性を得ることができる。
【０００８】
本発明によれば、カップ部材は、カップ部上部において表側部材および肌側部材等の他の部材とは固着されておらず、脇部において肌側部材とは固着されているが表側部材からは独立しているため、脇部分を固定することなく脇側からの緊締力のみによって、バストにフィットさせることができ、幅広い体型およびサイズに対応することができる。
【図面の簡単な説明】
【０００９】
【図１】図１は、本発明のカップ部を有する衣類の一例である、第１の実施形態に係るブラジャーの正面図である。
【図２】図２は、前記第１の実施形態に係るブラジャーの前身頃部を肌側から見た状態の正面図である。
【図３】図３（ａ）は、前記第１の実施形態に係るブラジャーのカップ部材の正面図である。図３（ｂ）は、前記第１の実施形態に係るブラジャーのカップ部材をＩ−Ｉ方向に見た断面図である。
【図４】図４は、本発明のカップ部を有する衣類のその他の例である、第２の実施形態に係るブラキャミソールを示す斜視図である。
【発明を実施するための形態】
【００１０】
本発明のカップ部を有する衣類において、さらに、肩ストラップを備え、前記肩ストラップは、前記前身頃部の上部に設けられ、さらに、前記肩ストラップから前身頃部下辺まで延びるテープ部材を有し、前記テープ部材は、表側部材の脇側上方および脇側下方とで固着されていることが好ましい。
【００１１】
本発明のカップ部を有する衣類において、前記テープ部材は、前記カップ部材と前記肌側部材との間に配置されていることが好ましい。
【００１２】
本発明のカップ部を有する衣類において、前記カップ部材は、前記土台部において前記表側部材および前記肌側部材と固着されていることが好ましい。
【００１３】
本発明のカップ部を有する衣類において、前記カップ部材の脇部は、非伸縮性であることが好ましい。
【００１４】
本発明のカップ部を有する衣類において、衣類がブラジャーであることが好ましい。
【００１５】
本発明のカップ部を有する衣類において、さらに衣類本体部を有することが好ましい。
【００１６】
本発明のカップ部を有する衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１７】
（第１の実施形態）
図１および図２に、本発明のカップ部を有する衣類の第１の実施形態に係るブラジャー１００を示す。本実施形態において、ブラジャー１００は、バック部１１Ｂ、１２Ｂの後端に着脱自在な連結係止部１６を有している。連結係止部１６は、本実施形態のブラジャー１００を着用者が着用したときに、着用者の背中の中央付近となる位置に設けられている。図１は、連結係止部１６を係止せずに開いた状態の本実施形態のブラジャー１００の正面図である。図２は、ブラジャー１００の前身頃部を肌側から見た状態の正面図であり、部分的に内部構造がわかるような状態を示している。前記二図において、同一部分には同一符号を付している。
【００１８】
本実施形態のブラジャー１００は、表側部材１１、肌側部材１２およびカップ部材１３を備えた、ノンワイヤータイプのブラジャーである。表側部材１１は、前身頃部１１Ａとバック部１１Ｂとが一体となった部材であり、肌側部材１２は、前身頃部１２Ａとバック部１２Ｂとが一体となった部材である。そして、表側部材１１と肌側部材１２とは、それらの上辺および下辺で互いに固着されており、全周にわたってその間は袋状になっている。
【００１９】
図３に、本実施形態に係るブラジャー１００のカップ部材１３を示す。図３（ａ）はカップ部材１３の正面図であり、図３（ｂ）は図３（ａ）のカップ部材１３をＩ−Ｉ方向に見た断面図である。カップ部材１３は、カップ部１３Ａと、カップ部１３Ａの下縁部に配置される土台部１３Ｂと、脇部１３Ｃとを含み、カップ部１３Ａと土台部１３Ｂとは一体成型されている。本実施形態においては、カップ部１３Ａおよび土台部１３Ｂは、ウレタンフォームからなっており、脇部１３Ｃとして非伸縮性のマーキジットを前記ウレタンフォームに縫製することによって一体にしている。
【００２０】
カップ部材１３は、図２に示すように、表側部材１１と肌側部材１２との間の前身頃部側に配置されている。本実施形態においては、左右一対のカップ部材１３を、前中心で連結させて用いている。しかし、本発明はこれに限定されず、左右一対のカップ部材１３を連結させずに用いてもよいし、左右のカップ部を一体成型した一部材のカップ部材を用いることもできる。
【００２１】
カップ部材１３は、脇部１３Ｃにおいて肌側部材１２と固着されており、カップ部１３Ａ上部においては表側部材１１および肌側部材１２とは固着されていない。すなわち、カップ部材１３は、その上辺において表側部材１１および肌側部材１２に固定されておらず、遊離した状態となっている。このように、カップ部材１３は、上端が他の部材と固着されていないので、脇側からの緊締力のみにより、バストにフィットすることができる。カップ部材上端が他の部材と固着されている場合、脇側からの緊締力が作用するとカップ部材の上端位置も決まってしまうため、既定サイズのバストには適合するが、サイズにズレがあると、カップ部材上端でバストへの食い込みが生じたり、隙間が生じたりする場合があるという課題があった。本発明によると、カップ部材１３の上辺が他の部材と遊離していることで、カップ部材１３上辺の融通性を高めてフィット性を向上させることができ、着用時のカップ部材１３上辺の身体への食い込みや、カップ部材１３上辺の身体との間の隙間発生を防ぐことができ、これらの課題を解消することができる。また、カップ部材１３の脇側が表側部材１１と固着されておらず独立しているため、カップ部材１３の凹凸部分が着用時にバージスラインにフィットしつつ脇部分は固定されないので、幅広い体型およびサイズに対応することができる。すなわち、サイズの融通性を保ちつつバストの造形性を得ることができる。
【００２２】
表側部材１１は、カップ部材１３と脇側での固着がないため、前身頃部１１Ａからバック部１１Ｂにかけて、伸縮時に引き攣れが生じない。表側部材１１は、例えばさらしを身体に巻いたときのように一体になっていることにより、通常のブラジャーでは生じるカップ部からバック部にかけての段差がなく、全体的にバストを包み込んでボリュームアップするという効果がある。
【００２３】
なお、本実施形態においては、カップ部材１３は、土台部１３Ｂにおいて表側部材１１および肌側部材１２と固着されている。土台部１３Ｂは他の部材と固着されていても、サイズの融通性は阻害しない。土台部１３Ｂは、他の部材と固着されていなくてもよいが、バージス付近がフィットして安定するため、他の部材と固着されていることが好ましい。
【００２４】
本実施形態に係るブラジャー１００においては、前身頃部１１Ａ、１２Ａの上部に一対の肩ストラップ１４が設けられている。肩ストラップ１４は、全体がテープ状の部材であってもよいが、図１に示すように、前身頃部との固着部分が幅広に形成されていると、バスト上方でのフィット性の観点から好ましい。そして、ブラジャー１００は、一対の肩ストラップ１４から前身頃部１１Ａ、１２Ａ下辺まで延びる一対のテープ部材１５を有しており、この一対のテープ部材１５は、表側部材１１の脇側上方および脇側下方と固着部Ｓ、Ｓで固着されている。すなわち、テープ部材１５は、脇側の上方および下方以外の部分では、他の部材とは固着されず遊離した状態となっている。このような構造とすることにより、テープ部材１５を、固定された土台部側（アンダーバスト側）から、他の部材と独立して引き上げることができる。
【００２５】
肩ストラップ１４およびテープ部材１５を備えていると、このテープ部材１５の引き上げによって、脇から縦方向にバストを寄せる緊締力が得られるので好ましい。このとき、表側部材１１は、肌側部材１２とは袋状に固着されていて、カップ部材１３等から独立していることにより、肩ストラップ１４からの引きに均一に伸びることで、融通性が得られる。また、テープ部材１５が、バック部１１Ｂ、１２Ｂ等から独立（遊離）していることにより、テープ部材１５の伸びが阻害されず、結果、表側部材１１の伸びも阻害しない。
【００２６】
本実施形態においては、テープ部材１５は、カップ部材１３と肌側部材１２との間に配置されているが、配置箇所はこれに限定されない。テープ部材１５は、カップ部材１３と表側部材１１との間に配置されていてもよい。衣類の取り扱い性や意匠性の観点からは、テープ部材１５は、表側部材１１と肌側部材１２との間の領域に配置されることが好ましいが、前記観点を考慮しなくてもよい場合には、表側部材１１や肌側部材１２の外側に配置されていても、前述の引き上げによる効果は得られる。しかし、テープ部材１５が、カップ部材１３と肌側部材１２との間に配置されていると、取り扱い性や意匠性に優れるとともに脇から縦方向にバストを寄せる緊締力を効果的にバストに与えることができるので好ましく、さらに、縫製の効率上も好ましい。
【００２７】
テープ部材１５としては、伸縮性を有する布テープを用いることが好ましい。テープ幅は、５ｍｍ〜１６ｍｍの範囲内にあることが好ましく、８ｍｍ〜１２ｍｍの範囲内であることがより好ましい。伸縮性としては、荷重１４．７Ｎ（１．５０ｋｇｆ）での伸び率が、１１０％〜１８０％の範囲内にあることが好ましく、回復率は、８０％〜１００％の範囲にあることが好ましい。このような物性を満たす材料としては、例えば、ストレッチテープ、ストレッチバインダーテープ、パワーネット等をあげることができる。
【００２８】
カップ部材１３の脇部１３Ｃは、非伸縮性であることが好ましい。脇部１３Ｃが非伸縮性であると、バストの脇側を押さえる効果をより発現させることができ、より丸みのあるシルエットを造形しつつ脇側をすっきりと見せることができる。脇部１３Ｃとしては、マーキジット、布帛、リジッドレース等を好適に用いることができる。なお、脇部１３Ｃは、本実施形態に示すようにカップ部１３Ａおよび土台部１３Ｂとは別の非伸縮性の材料を用いてもよいが、カップ部１３Ａおよび土台部１３Ｂを一体成型する際に、脇部１３Ｃもあわせて一体成型することで、カップ部、土台部および脇部を含むカップ部材を得ることもできる。しかし、脇部１３Ｃとして布帛を用いることで、よりフィット性を高めることができるので、好ましい。
【００２９】
脇部１３Ｃの幅（カップ部１３Ａ脇側辺からの長さ方向）Ｌ１は、カップ部材１３の上辺の長さＬ２の１５％〜３９％の範囲内の長さに設定することが好ましく、２４％〜２９％の範囲内とすることがより好ましい。
【００３０】
脇部１３Ｃは、縫着、接着等の方法によっても設けることができるが、上述のように、カップ部１３Ａおよび土台部１３Ｂとの一体成型によって形成したり、カップ部１３Ａおよび土台部１３Ｂの成型時に布帛等の別部材を挟み込んだり、融着等の方法によって設けることもできる。
【００３１】
一体成型されているカップ部１３Ａおよび土台部１３Ｂ（以下、「成形部材」と呼ぶこともある）は可撓性を有する部材であり、ウレタンフォーム、不織布、あるいはポリウレタンなどの高弾性糸から編成された厚手シート状の丸編素材（ダンボールニット）等を使用することができるが、成型性、耐久性等の点からウレタンフォームが好ましい。より具体的には、見掛け密度が３５±１０ｋｇ／ｍ３の範囲内にあり、且つ、伸び率が１４０％以上である軟質ウレタンフォームを用いることが好ましく、より好ましくは見掛け密度が３５±３ｋｇ／ｍ３の範囲内にあり、かつ、伸び率１５０％以上である軟質ウレタンフォームを用いることが好適である。なお、上記の見掛け密度はＪＩＳ  Ｋ  ６４００（１９９７）、伸び率はＪＩＳ  Ｋ  ６４００−５（２０１２）の規格に従って測定される。
【００３２】
成型部材の厚みは、着用による体型の補整といった目的や、カップ部を有する衣類のデザインに応じて設計可能であり、例えば、下バージスラインとバストトップとの間の脇側領域を厚く、周辺に向かうにしたがって薄くなるように形成してもよい。カップ部１３Ａの下縁は、バージスラインに沿うように形成され、土台部１３Ｂと一体成型されているが、図３（ｂ）に示すように、カップ部１３Ａと土台部１３Ｂとの境界領域付近の肌側に、バージスラインに沿って、肌側に突出した凸部１３Ｄを設けることが好ましい。凸部１３Ｄは、ライン状に形成しても、ドットを並べるように形成してもよい。凸部１３Ｄを有していると、着用時のバージスラインへのフィット性を、より向上させることができるので、バスト造形性の観点から好ましい。凸部１３Ｄは、前記成形部材とは別部材で構成してもよい。
【００３３】
本発明は、ワイヤータイプ、ノンワイヤータイプのいずれのタイプのブラジャーにも使用することができる。ワイヤーを用いる場合、例えばカップ部材１３の凸部１３Ｄをワイヤーで形成したものを用いることができる。
【００３４】
本実施形態のブラジャーでは、連結係止部１６として、ホック（例えば、フック・アンド・アイ（鈎ホック））を使用することができるが、他の種類の係止具を使用してもよい。また、バック部１１Ｂ、１２Ｂが連結係止部を有していなくてもよい。例えば、連結係止部を前中心に設けてフロントホックタイプとしてもよい。また、連結係止部がないタイプ、バック布を結んで係止するタイプであってもよい。
【００３５】
連結係止部１６としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００３６】
本実施形態においては、肩ストラップ１４の一端はバック部１１Ｂ、１２Ｂの上辺部に取り付けられ、他端の幅広部は前身頃部１１Ａ、１２Ａの上辺部に取り付けられている。バック部１１Ｂ、１２Ｂの上辺部に取り付けられた肩ストラップ１４のテープ状の部分は、前記幅広部の上端に取り付けられた円環の係止具１７Ａを通って反転し、エイト環からなる長さ調節具１７Ｂに導入されることによって、肩ストラップ１４の長さ調整が可能な状態で取り付けられている。肩ストラップ１４の態様はこれに限定されず、例えば、前身頃部１１Ａ、１２Ａの左右の上部同士を互いに繋ぐように取り付けられている、いわゆる「ホルターネック」タイプであってもよい。肩ストラップ１４の取り付け位置は、フルカップ、３／４カップ、１／２カップといったブラジャーのカップ形状やブラジャーのデザインによって決定することができる。肩ストラップ１４は、前身頃部１１Ａ、１２Ａを肩から吊り下げるものであればよい。紐や布テープであってもよいし、タンクトップのような幅の広い、いわゆるラウンドタイプのストラップであってもよい。肩ストラップ１４の態様は一対の肩ストラップ１４をそれぞれ前身頃部１１Ａ、１２Ａ上部とバック部１１Ｂ、１２Ｂに取り付ける態様に限定されず、例えば、スポーツタイプのブラジャーの肩ストラップのように、背中側で２本の肩ストラップが一体となりバック部に取り付けられる態様であってもよい。
【００３７】
（第２の実施形態）
次に、図４に本発明のカップ部を有する衣類のその他の例として、ブラキャミソール２００の斜視図を示す。
【００３８】
このブラキャミソール２００のブラジャー相当部分は、図１で説明したブラジャー１００とほぼ同一の概念のもとに設計されている。本態様においては、ブラキャミソール２００が、表側部材１１（裏側部材１２）の下側に、身頃２１を有している。本実施形態では、バック部には連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、本発明において想到しうる他の態様のブラジャー相当部分を有するブラキャミソールとすることもできる。
【００３９】
（着用主観評価）
図１に示すタイプの本発明に係るブラジャー１００を作製し、着用評価を行った。Ｓサイズ、Ｍサイズ、Ｌサイズの複数名のモニターに、前記ブラジャー１００を着用してもらい、着用感のコメントを求めた。その結果、３７名中３５名が、着用感が満足であると回答した。本発明のブラジャーで満足度が高いと回答したモニターからは、「楽であるがバストが寄せて上げられている感じがする」、「着け心地がやわらかい」、「バストが包み込まれている感じがする」等の意見が得られた。モニターの体型としては、円胴、平胴、鳩胸等、色々な体型に対しても安定してフィットしているという結果が得られた。
【００４０】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００４１】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００４２】
１００  ブラジャー
１１  表側部材
１２  肌側部材
１１Ａ、１２Ａ  前身頃部
１１Ｂ、１２Ｂ  バック部
１３  カップ部材
１３Ａ  カップ部
１３Ｂ  土台部
１３Ｃ  脇部
１３Ｄ  凸部
１４  肩ストラップ
１５  テープ部材  
１６  連結係止部
１７Ａ  円環係止具
１７Ｂ  長さ調節具
２００  ブラキャミソール
２１  身頃
【図１】
2018162541.tif 000003
【図２】
2018162541.tif 000004
【図３】
2018162541.tif 000005
【図４】
2018162541.tif 000006